【事件の表示】
　特願２００３−１３１９７７「冷陰極管」拒絶査定不服審判事件〔平成１６年１１月２５日出願公開、特開２００４−３３５３７０〕について、次のとおり審決する。
【結　論】
　本件審判の請求は、成り立たない。
【理　由】
１．手続きの経緯
　本願は、平成１５年５月９日の出願であって、平成１７年１０月１２日付け（発送日同年１０月１８日）で拒絶査定がなされ、これに対し、平成１７年１１月１７日に拒絶査定に対する審判請求がなされたものである。
　
　
２．本願発明について
　本願の請求項１〜３に係る発明は、出願当初の明細書の特許請求の範囲の請求項１〜３に記載された事項により特定されるとおりのものであると認められるところ、その請求項１に係る発明（以下、「本願発明１」という。）は次のとおりである。
　
「【請求項１】　内面に発光層を有するガラス管と、
　前記ガラス管の管端部を気密に内外貫通して設けられ、複層構造からなり、その内層に外層より熱伝導率の高い熱伝導線を含む封止線材と、
　前記ガラス管の内部にあって前記封止線材の一端部に連設されたインナーリード及び電極部と、
　前記ガラス管の外部にあって前記封止線材の他端部に連設され、外部の電線と接続されるアウターリードと
　を備えたことを特徴とする冷陰極管。」
　
　
３．引用例に記載の発明
　原査定の拒絶の理由に引用された本願の出願前である平成８年９月１７日に頒布された刊行物である特開平８−２４１６９３号公報（以下、「引用例１」という。）には、図面とともに、
　
（１−１）「【００１８】
【実施例】次に、本発明にかかる冷陰極蛍光ランプの１実施例について図１及び図２を参照して説明する。
【００１９】同図において、１は、例えばバルブ径が６ｍｍ程度の硼・珪酸ガラスよりなるガラスバルブであって、それの内面には発光層２が形成されている。尚、ガラスバルブ１は、鉛ガラス，ソ−ダガラス，低鉛ガラスなども使用できる。この発光層２は、目的に応じて１種類の蛍光体又は複数種類の蛍光体を混合して形成されている。そして、ガラスバルブ１の端部１ａ，１ｂには、電極３Ａ，３Ｂが配置されている。この電極３Ａ，３Ｂは、基本的に同じであり、例えばリ−ド線３１の先端に筒状の電極部３２を電気的機械的に固定（例えば溶接）すると共にリ−ド線３１の電極部３２に近い部分にガラスビ−ド３３を気密封止して構成されているが、電極部３２を省略し後述のインナ−リ−ドにて代用することもできる。尚、この電極部３２は、両端に開口を有する筒状の他、一方の開口が塞がれている（有底筒形）か或いは開口が縮小されている筒形などに構成することもできる。特に、電極は、比較的小さなサイズでも大きな表面積の得られる筒状に構成されているが、渦巻き形や螺旋形などに構成することもできる。
【００２０】上述のリ−ド線３１は、基本的にインナ−リ−ド３１ａ，封止線材３１ｂ，アウタ−リ−ド３１ｃをそれぞれバット溶接（端面溶接）して構成されている。このリ−ド線３１において、インナ−リ−ド３１ａ，封止線材３１ｂ，アウタ−リ−ド３１ｃのそれぞれの外径Ｄ１，Ｄ２，Ｄ３は、例えばＤ１＞Ｄ２＞Ｄ３の関係に設定されており、インナ−リ−ド３１ａには外径が１．０ｍｍのニッケル線が、封止線材３１ｂには外径が０．６ｍｍのコバ−ルが、アウタ−リ−ド３１ｃには外径が０．３５ｍｍのニッケル線がそれぞれ使用されているが、他の材料に変更したりすることもできる。」
　
が記載されている。
　
　また、アウターリード３１ｃは、外部の電線と接続されるべきものである。
　
　したがって、引用例１には、つぎのとおりの発明、
　
「内面に発光層２を有するガラスバルブ１と、
　前記ガラスバルブ１の端部１ａ，１ｂを気密に内外貫通して設けられた、コバ−ルよりなる封止線材３１ｂと、
　前記ガラスバルブ１の内部にあって前記封止線材３１ｂの一端部に連設されたインナーリード３１ａ及び電極３Ａ，３Ｂと、
　前記ガラスバルブ１の外部にあって前記封止線材３１ｂの他端部に連設され、外部の電線と接続されるアウターリード３１ｃと
　を備えた冷陰極蛍光ランプ。」（以下、これを「引用例１に記載の発明」という。）
　　
が記載されているものと認める。
　
４．対比・判断
　本願発明１と引用例１に記載の発明とを対比する。
　引用例１に記載の発明における「発光層２」、「ガラスバルブ１」、「端部１ａ，１ｂ」、「封止線材３１ｂ」、「インナーリード３１ａ」、「電極３Ａ，３Ｂ」、「アウターリード３１ｃ」、「冷陰極蛍光ランプ」は、それぞれ、
　本願発明１における「発光層」、「ガラス管」、「管端部」、「封止線材」、「インナーリード」、「電極部」、「アウターリード」、「冷陰極管」に相当する。
　
　したがって、両者は、
　
【一致点】
「内面に発光層を有するガラス管と、
　前記ガラス管の管端部を気密に内外貫通して設けられた、封止線材と、
　前記ガラス管の内部にあって前記封止線材の一端部に連設されたインナーリード及び電極部と、
　前記ガラス管の外部にあって前記封止線材の他端部に連設され、外部の電線と接続されるアウターリードと
　を備えたことを特徴とする冷陰極管。」
で一致し、
　
【相違点】
　「本願発明１では、封止線材が、複層構造からなり、その内層に外層より熱伝導率の高い熱伝導線を含むのに対して、
　引用例１に記載の発明では、封止線材３１ｂ（封止線材に相当。）が、コバ−ルよりなり、そのような構造となっていない点」
で相違する。
　　
　そこで、上記【相違点】について検討する。
　原査定の拒絶の理由に引用された本願の出願前である平成１５年４月１１日に頒布された刊行物である特開２００３−１０９５３４号公報（以下、「引用例２」という。）には、図面とともに、
　
（２−１）「【００１３】図２は、タングステンより融点の低いニッケル、銅、鉄、金若しくは銀又はニッケル、銅、鉄、金、銀の合金から選択される金属により一体にリード(6)を形成し、リード(6)の埋設部(6a)の外周面にはタングステン又はタングステン合金による内側金属被膜(9)を形成した例を示す。図２(a)に示すように、タングステンより融点の低い金属によりリード(6)を一体に形成した後、リード(6)の埋設部(6a)の外周面にガラス付着性に優れたタングステン又はタングステン合金製の内側金属被膜(9)をスパッタリングにより形成して、タングステン又はタングステン合金の表面を有するリード(6)の埋設部(6a)が得られる。その後、リード(6)の端部に電極(3)を溶接し、内側金属被膜(9)にガラスビーズ(2)を融着して、電極組立体(11)を製造する。更に、電極組立体(11)をガラス管(5)の端部に融着し、最終的にリード(6)と外部端子(10)とを半田により接着する。
【００１４】本実施の形態では、次の作用効果が得られる。
（１） ガラス管(5)の外部に導出された導出部(6c)のニッケル製外面に外部端子(10)を良好に半田付けすることができる。
（２） ガラスビーズ(2)が融着される埋設部(6a)のタングステン製外面にガラスビーズ(2)を良好に融着することができる。」
　
が記載されている。
　
　したがって、引用例２には、
　
「冷陰極管における、二層構造（複層構造に相当。）からなり、その内層にニッケル、銅、鉄、金若しくは銀よりなるリード（６）の埋設部（６ａ）（熱伝導線に相当。）、外層にタングステンよりなる内側金属被膜（９）を含む、リード（６）の埋設部（６ａ）及びタングステンよりなる内側金属被膜（９）（封止線材に相当。）」
　
が記載されていると認める。
　
  そして、「冷陰極管は、電極部に発生する熱をリード線を通して外部に放出する必要があり、そのために、リード線の材料を熱伝導率の大きなものとしたり、リード線の線径を太くすること」は、周知である
［例えば、特開２０００−２１５８４９号公報における、
「【００１０】しかしながら、前記した従来の冷陰極蛍光ランプ９０ではガラス管の外径は小さくなってきているのと、照明をより明るくするために電流は大きくなってきているので、冷陰極蛍光ランプ内で電極部に発生する熱をリード線を通して外部に放出することが出来にくくなり、電極付近のガラス管の温度が高くなってしまい、時には、冷陰極蛍光ランプの近くに設けられている光を導くアクリル製のライトガイドや冷陰極蛍光ランプの反射板等に熱的影響を及ぼす恐れがあった。
【００１６】このガラス管２との溶着性を考え、従来はコバール線をリード線として用いてきたが、熱伝導率が小さいので、ＣＦＬ内部での発熱を外部に十分に放熱することが出来なかった。その結果、ＣＦＬが高温になってしまうこともあったので、コバール線よりも熱伝導率が約２倍の大きさのモリブデン線を用いている。
【００１７】ガラスとしてはコバールガラスもモリブデンガラスも熱膨張係数がほぼ同じなので、コバールガラスにモリブデン線を用いても熱による割れは発生しないことは容易に理解できる。
【００１８】本発明では、このように、ＣＦＬ点灯中の電極発熱温度を外部に逃がし易くするために、コバ−ルガラスの封入リ−ド線として、熱膨張率が適し、且つ、熱伝導率がコバ−ル線より大きい金属線であるモリブデン線を提供するものである。」の記載、
　実願平１−２０３５９号（実開平２−１１１０５２号）のマイクロフィルムにおける、
「［作用］
　ガラス管より導出される導入線の線形を０．８〜２．０ｍｍと大きくすることにより、発熱した電極の熱が導入線を伝導して外部に放出される放熱量が一段と多くなり、その分、電極の温度上昇が大幅に抑制される。」（明細書４頁１６行〜５頁１行）の記載参照。］
から、
　引用例２に記載の、二層構造（複層構造に相当。）からなる、リード（６）の埋設部（６ａ）及びタングステンよりなる内側金属被膜（９）（封止線材に相当。）の中から、
　特に、内層にタングステンよりなる内側金属被膜（９）（外層に相当。）より熱伝導率の高い銅、金若しくは銀よりなるリード（６）の埋設部（６ａ）（熱伝導線に相当。）を含む、リード（６）の埋設部（６ａ）及びタングステンよりなる内側金属被膜（９）（封止線材に相当。）を選択し、これを、
　引用例１に記載の発明のコバ−ルよりなる封止線材３１ｂ（封止線材に相当。）に換えて用いることは、当業者が容易になし得ることである。
　
　そして、本願発明１の効果は、引用例１及び引用例２に記載された発明及び周知の事項に基づいて当業者が予測可能な範囲内のものである。
　
　したがって、本願発明１は、引用例１及び引用例２に記載された発明及び周知の事項に基づいて当業者が容易に発明をすることができたものであるから、特許法第２９条第２項の規定により特許を受けることができない。
　
５．むすび
　以上のとおり、本願発明１は、引用例１及び引用例２に記載された発明及び周知の事項に基づいて当業者が容易に発明をすることができたものであるから、特許法第２９条第２項の規定により特許を受けることができない。
　そして、本願発明１が特許を受けることができないものであるから、その余の請求項２〜３に係る発明について検討するまでもなく、本願は拒絶すべきものである。
　よって、結論のとおり審決する。